(57)【特許請求の範囲】
【請求項１】
目地を介して隣接する建物の両屋上面に、該目地に沿って夫々取付けられる固定片と、
前記固定片に適宜間隔で複数個、三次元的な微移動可能に支持され、その両側部に建物の隣接方向に沿った嵌合突部または嵌合溝からなる嵌合部が形成された連結子と、
前記両固定片上で、頂部から左右両側に下り緩勾配で傾斜して隣接する建物の屋上面に跨がって複数本平行に差し渡され、前記連結子が下方から内嵌する断面略伏コ字状をしており、その両側内面に、前記連結子の嵌合突部が摺動可能に嵌入する摺動条溝を備えた二股状突条または連結子の嵌合溝に嵌入する摺動突条からなる摺動条部が、建物の隣接方向に沿って形成され、かつ該摺動条部の上部で天板部との間に嵌挿空隙が形成されてなるホルダーと、
前記ホルダーに固定されて、隣接する建物の屋上面に跨がって建物間の目地を覆う目地カバーと
を備えた目地カバー装置において、
前記ホルダーを頂部で左右に分割した分割ホルダーとし、該分割ホルダーの嵌挿空隙に嵌入される嵌合突縁と、該嵌合突縁とその下部に連成した支持突縁との間に形成された、分割ホルダーの摺動条部が嵌入される嵌着溝とを左右両側に夫々備え、かつ前記両嵌合突縁及び嵌着溝を左右両側に下り緩勾配で傾斜させてなる連結部材によって前記両分割ホルダーを連結したことを特徴とする目地カバー装置。
【請求項２】
前記連結部材の嵌着溝に、分割ホルダーの内方への嵌入を容易とし、かつ外方への脱出を阻止する複数の鋸歯状突起を形成したことを特徴とする請求項１に記載した目地カバー装置。
【発明の詳細な説明】
【０００１】
【産業上の利用分野】
本発明は、隣接する建物の屋上間に生ずる目地を覆う目地カバー装置に関する。
【０００２】
【従来の技術】
この種の目地カバー装置としては、目地カバーを夫々の建物に直接固定した単純構成になるものがあるが、かかる構成によると、地震や暴風雨によって建物相互が離近方向に揺れると、これに伴って前記目地カバーの取付部に亀裂を生じ、場合によっては建物を損傷させることがある。そこで、これに対処する目地カバー装置が提案された。
【０００３】
この目地カバー装置は、図６に示すように、目地ｓを介して隣接する建物ｘ，ｘの屋上面ｆ，ｆに配設した固定片ａ，ａにより三次元方向への微移動可能に連結子ｂ，ｂを支持し、前記固定片ａ，ａ上で、隣接する建物ｘ，ｘの屋上面ｆ，ｆに跨がって複数本平行に差し渡したホルダーｃの摺動条部ｄに前記連結子ｂ，ｂの嵌合部ｅ，ｅを摺動可能に嵌装し、各ホルダーｃ上に建物ｘ，ｘ間の目地ｓを覆う目地カバーｇを固定したものであり、前記連結子ｂ，ｂの三次元的移動により、建物相互の相対移動を吸収できるようになっている。
【０００４】
【発明が解決しようとする課題】
ところで前記ホルダーｃは、雨水等の排水効果を高めるように山形に形成された目地カバーｇの下面に密着して支持することができるように、中央の頂部ｈから左右両側を所定の下り緩勾配で傾斜させて形成されている。このホルダーｃの製作手段としては、図７イ，ロに示すように、所定角度で切断した二本のホルダー用型材ｉ，ｉの傾斜端部ｊ，ｊを溶接によって接合し、さらにその溶接跡を消すためにアルマイト処理による塗装を施している。
【０００５】
ところが、かかる製作手段にあって、通常の部材切断における切断角度は直角であるが、前記ホルダー用型材ｉを切断する時だけ切断機の刃を所定角度に傾斜させなければならない。このため切断目的に応じて切断機の刃の角度を正確に傾斜させたり戻したりしなければならず、その調整が面倒で、誤調整に起因する切断ミスが生じ易い。
【０００６】
また、ホルダーｃは、目地カバーｇ及び該目地カバーｇにかかる荷重を支持し得る強度が要求されるが、従来の製作手段にあっては、ホルダー用型材ｉ，ｉの傾斜端部ｊ，ｊを溶接によって接合しているため、全て同じ精度で溶接が行なわれるとは限らず、一定の強度を備えたものを量産しにくい。また、左右両側が所定の下り緩勾配で傾斜するようにその頂部ｈとなる接合部を溶接しなければならないため、溶接作業が極めて面倒である。
【０００７】
さらに、上記のように切断，溶接，塗装の各工程を経て生産されるため、時間がかかる上、コストが高いという問題点もあった。
【０００８】
本発明は、かかる従来の問題点を解消し得る目地カバー装置の提供を目的とするものである。
【０００９】
【課題を解決するための手段】
本発明は、目地を介して隣接する建物の両屋上面に、該目地に沿って夫々取付けられる固定片と、
前記固定片に適宜間隔で複数個、三次元的な微移動可能に支持され、その両側部に建物の隣接方向に沿った嵌合突部または嵌合溝からなる嵌合部が形成された連結子と、
前記両固定片上で、頂部から左右両側に下り緩勾配で傾斜して隣接する建物の屋上面に跨がって複数本平行に差し渡され、前記連結子が下方から内嵌する断面略伏コ字状をしており、その両側内面に、前記連結子の嵌合突部が摺動可能に嵌入する摺動条溝を備えた二股状突条または連結子の嵌合溝に嵌入する摺動突条からなる摺動条部が、建物の隣接方向に沿って形成され、かつ該摺動条部の上部で天板部との間に嵌挿空隙が形成されてなるホルダーと、
前記ホルダーに固定されて、隣接する建物の屋上面に跨がって建物間の目地を覆う目地カバーと
を備えた目地カバー装置において、
前記ホルダーを頂部で左右に分割した分割ホルダーとし、該分割ホルダーの嵌挿空隙に嵌入される嵌合突縁と、該嵌合突縁とその下部に連成した支持突縁との間に形成された、分割ホルダーの摺動条部が嵌入される嵌着溝とを左右両側に夫々備え、かつ前記両嵌合突縁及び嵌着溝を左右両側に下り緩勾配で傾斜させてなる連結部材によって前記両分割ホルダーを連結したことを特徴とするものである。
【００１０】
この構成にあって、前記連結部材の嵌着溝に、分割ホルダーの内方への嵌入を容易とし、かつ外方への脱出を阻止する複数の鋸歯状突起を形成するようにしても良い。
【００１１】
【作用】
連結部材の左右両側の嵌合突縁を分割ホルダーの嵌挿空隙に夫々嵌入するとともに、連結部材の左右両側の嵌着溝に分割ホルダーの摺動条部を夫々嵌入することにより、分割ホルダーを左右両側に所定の下り緩勾配で傾斜させた状態で容易かつ迅速に接合することができる。
【００１２】
また、連結部材の嵌着溝に複数の鋸歯状突起を形成する構成を適用すれば、分割ホルダーの内方への嵌入が容易となり、かつ外方への脱出が阻止されて、その連結がより円滑かつ確実に行なわれることとなる。
【００１３】
【実施例】
本発明にかかる目地カバー装置の一実施例を、図１〜図５について説明する。
【００１４】
ここで屋上用に形成された目地カバー１は、その中心の頂部１ａから左右両方に緩勾配で傾斜した山形をしており、目地ｓを介して隣接した建物ｘ，ｘの屋上面ｆ，ｆに跨がってこれを覆っており、その両端部には、垂下部１ｂ，１ｂが形成され、該垂下部１ｂ，１ｂの下縁を内方に直角状に屈曲して連係端１ｃ，１ｃとしている。
【００１５】
屋上面ｆ，ｆには、目地ｓに沿って固定片５，５が防水シート２を介して固着される。この固定片５，５はアルミの長尺状押出し型材からなり、該目地ｓに沿って複数本連続される。この固定片５，５は、図２，３で示すように据付板部６のほぼ中央から突成した立上片７の内側に、下方に開口する結合溝８が形成され、外側には水切り舌片１０の下端が嵌着する嵌着溝９が形成されている。前記水切り舌片１０はゴム等の可撓性材料からなり、先端が肉薄状となって、その先端で後述する構成により被着された目地カバー１の下面に弾接し、目地ｓに沿って連続して、目地ｓ側へ雨水が侵入しないように遮断している。尚、水切り舌片１０は、後述するホルダー２５の部分ではその両側位置で切り込みを入れて、ホルダー２５の対応部分を図２のように除去するか、または下方に湾曲させて、該ホルダー２５を避けるようにしている。
【００１６】
前記固定片５，５の結合溝８，８内には、支持板１３，１３の連結縁１４，１４を夫々叩き込み、これにより該支持板１３、１３を固定片５，５に適宜間隔で嵌装するようにしている。各支持板１３には、上下方向に挿通したボルト片からなる軸杆１５が端部に螺合したナット１５ａによって保持される。この軸杆１５を連結子２０の嵌装孔２１に挿通して該連結子２０を支持板１３に装着し、かつ軸杆１５の上端のボルト頭部からなるバネ受片１６と連結子２０間でコイルバネ１８を軸杆１５に遊嵌している。そしてこのコイルバネ１８により、連結子２０を常に下方へ付勢するようにしている。この連結子２０は、軸杆１５に対して微昇降，微傾動及び回動が可能となっている。すなわち三次元的微移動可能に支持されている。また前記連結子２０は上側に立上側壁２２，２２を形成した断面コ字状をしており、立上側壁２２，２２の上端両側に建物ｘ，ｘの隣接方向に沿った嵌合突部２３，２３を突成している。
【００１７】
また、前記屋上面ｆ，ｆに夫々設けた固定片５，５上には、該固定片５，５に直交させて、頂部２４から左右両側に下り緩勾配で傾斜した山形状のホルダー２５が適宜間隔で複数個差し渡される。
【００１８】
各ホルダー２５は、杆材を左右に分割した分割ホルダー２５ａ，２５ａを連結部材３８で直列に連結して構成されている。各分割ホルダー２５ａは、断面略伏コ字状の型材からなり、両側の垂下片２６ａ，２６ａの内側下縁には摺動条溝２７ａ，２７ａを備えた二股状突条２７，２７が長手方向に沿って形成されており、また、該二股状突条２７，２７の上部で天板部２６ｂとの間に嵌挿空隙２６ｃが形成されている。尚、この分割ホルダー２５ａは、図４に示すように、垂下片２６ａ，２６ａの外側にコ字形の補強片２６ｄ，２６ｄを連成してもよい。このような補強片２６ｄ，２６ｄを設けることによって強度を向上させることができる。
【００１９】
一方、連結部材３８は、前記分割ホルダー２５ａの垂下片２６ａ，２６ａの間隔に略一致する所定幅に切断したアルミの押出し型材からなり、その左右両側に前記分割ホルダー２５ａの嵌挿空隙２６ｃに嵌入される嵌合突縁３９，３９が夫々突成されるとともに、該嵌合突縁３９，３９の下部に支持突縁４０，４０が対向状に連成され、この支持突縁４０，４０と嵌合突縁３９，３９との間に前記分割ホルダー２５ａの二股状突条２７が嵌入される嵌着溝４１，４１が形成されている。該嵌着溝４１，４１及び前記嵌合突縁３９，３９は、夫々左右両側に所定の下り緩勾配で傾斜させて設けられる。また、嵌着溝４１，４１には複数の鋸歯状突起４２，４２が形成され、この鋸歯状突起４２，４２によって分割ホルダー２５ａの内方への嵌入を容易とし、かつ外方への脱出を阻止するようにしている。
【００２０】
そして、連結部材３８の左右両側で、嵌合突縁３９，３９を分割ホルダー２５ａの嵌挿空隙２６ｃに夫々嵌入するとともに、連結部材３８の嵌着溝４１，４１に分割ホルダー２５の二股状突条２７を夫々嵌入して、２本の分割ホルダー２５ａ，２５ａを連結部材３８によって連結することにより、頂部２４から左右両側に所定の下り緩勾配で傾斜したホルダー２５を構成するようにしている。
【００２１】
このホルダー２５には、その下部開口から前記連結子２０が内嵌され、該ホルダー２５の摺動条溝２７ａ，２７ａに、夫々連結子２０の嵌合突部２３，２３が摺動可能に嵌装されて、ホルダー２５の連結子２０に対する建物ｘ，ｘの隣接方向に沿った移動を可能としている。そして、連結子２０がコイルバネ１８により下方付勢されていることから、その付勢力によってホルダー２５はその下面が前記固定片５，５の立上片７上端に当接して、ガタ付きなく安定的に支持されている。前記摺動条溝２７ａ，２７ａと嵌合突部２３，２３の嵌装は比較的緩くして遊びを生じさせ、微妙な変位を吸収し得るようにしても良い。
【００２２】
尚、前記嵌合突部２３，２３に代えて、連結子２０の両側に嵌合溝を形成し、前記摺動条溝２７ａ，２７ａに代えてホルダー２５を構成する分割ホルダー２５ａの両内側に摺動突条を形成しても良い。すなわち、連結子２０の両側には、嵌合突部２３，２３または嵌合溝からなる嵌合部が形成され、分割ホルダー２５ａの両側内面には、連結子２０の嵌合突部２３，２３が摺動可能に嵌入する摺動条溝２７ａ，２７ａを備えた二股状突条２７または連結子２０の嵌合溝に嵌入する摺動突条からなる摺動条部が形成されていればよい。そして、この摺動条部が連結部材３８の嵌着溝４１，４１に嵌入されることとなる。
【００２３】
前記固定片５，５上に支持されたホルダー２５の両端には、側方に開口した嵌挿空隙２６ｃ，２６ｃに対して、アルミ製からなる連係舌片３０，３０がその上端にほぼ直角状に連成した連結嘴縁３１を叩き込まれて固結され、該ホルダー２５の端部から下方へ垂下している。
【００２４】
而して後、建物ｘ，ｘに複数差し渡されたホルダー２５上に目地カバー１を被着して、前記連係端１ｃ，１ｃを連係舌片３０，３０の下縁に係止し、目地カバー１をホルダー２５に連結するようにしている。そしてこれにより、目地カバー１はホルダー２５と一体化し、後述する作用により建物ｘ，ｘに対して相対移動可能となる。
【００２５】
その他、固定片５，５の内側には、内方へ開口する嵌着溝１１，１１が形成され、図２で示すように軟質の塩化ビニル等によって形成される伸縮性遮蔽板材３２の両端縁に設けられた係止部３４，３４を嵌装溝１１，１１に係入して目地ｓを覆うようにし、該目地ｓに雨水等が侵入するのを防いでいる。この嵌装溝１１，１１に代えて、図１で示すように、別途に係止部３４，３４が嵌着する嵌挿溝３７が形成された取付片３５，３５を屋上面ｆ，ｆの内側寄りの位置に設けるようにしても良い。
【００２６】
さらには、固定片５，５の据付板部６の外側面と、その周面の屋上面ｆ，ｆにアルミフィルム付のブチルゴムテープからなる防水フィルム３６を渡して覆い、据付板部６と屋上面ｆ，ｆ間から雨水が侵入するのを防止している。これにより、水切り舌片１０と相俟って、防水を確実に行ない得るようにしている。
【００２７】
かかる構成の目地カバー装置にあって、建物ｘ，ｘ相互が離近方向に相対変位した場合に、連結子２０はホルダー２５の摺動条溝２７ａ，２７ａに対して建物ｘ，ｘの隣接方向に摺動する。また上下方向に相対変位した場合にあっては、連結子２０は固定片５に対して微昇降及びホルダー２５の傾動に対応して微傾斜する。さらには、目地ｓに沿って建物ｘ，ｘが前後方向に相対移動した場合には、連結子２０は、軸杆１５に対して回動し、その移動を可能とする。而して、建物ｘ，ｘの三次元的な相対移動に目地カバー１が追従し、該目地カバー１に無理な応力が作用することなく目地ｓを覆い得ることとなる。
【００２８】
また、ホルダー２５の製作において、その作業工程としては、まず、端部を通常の部材切断と同じ直角にして分割ホルダー２５ａを所要の長さに切断する。また、連結部材３８を分割ホルダー２５ａと嵌合可能な所定幅に切断する。次いで、この連結部材３８の左右の嵌合突縁３９，３９を２本の分割ホルダー２５ａ，２５ａの嵌挿空隙２６ｃ，２６ｃに夫々嵌入し、同時に該連結部材３８の嵌着溝４１，４１に前記分割ホルダー２５ａ，２５ａの二股状突条２７または摺動突条からなる摺動条部を夫々嵌入する。これにより２本の分割ホルダー２５ａ，２５ａが連結される。ここで、連結部材３８の嵌合突縁３９，３９及び嵌着溝４１，４１が左右両側に所定の下り緩勾配で傾斜されていることにより、連結された２本の分割ホルダー２５ａ，２５を左右両側に所定の下り緩勾配で傾斜させることができる。これにより、ホルダー２５を容易かつ迅速に製作し得ることとなる。
【００２９】
また、連結部材３８の嵌着溝４１，４１に形成した複数の鋸歯状突起４２，４２により、分割ホルダー２５ａの内方への嵌入が容易となり、かつ外方への脱出が阻止されるため、その連結をさらに円滑かつ確実に行い得る。
【００３０】
【発明の効果】
本発明は、上述のように、左右両側に所定の下り緩勾配で傾斜した嵌合突縁３９，３９及び嵌着溝４１，４１を備えた連結部材３８を形成し、該連結部材３８の嵌合突縁３９，３９を分割ホルダー２５ａ，２５ａの嵌挿空隙２６ｃ，２６ｃに夫々嵌入するとともに、連結部材３８の嵌着溝４１，４１に分割ホルダー２５ａ，２５ａの摺動条部を夫々嵌入することにより、２本の分割ホルダー２５ａ，２５ａを連結してホルダー２５を構成するようにしたから、従来の傾斜端部を溶接するものとは異なり、部材切断時における切断ミスがなく、溶接及び塗装の必要がないので、簡単に短時間で製作でき、またコストを低減することができる。さらに分割ホルダー２５ａとの嵌合を嵌合突縁３９及び嵌着溝４１の二箇所で行なうので連結強度が高く、一定の強度を備えたものを容易に量産することができる。
【００３１】
また、連結部材３８の嵌着溝４１，４１に複数の鋸歯状突起４２，４２を形成すれば、分割ホルダー２５ａの内方への嵌入が容易となり、かつ外方への脱出が阻止されて、その連結をさらに円滑かつ確実に行い得る等の優れた効果がある。
【図面の簡単な説明】
【図１】本発明にかかる目地カバー装置の縦断側面図である。
【図２】ホルダーの摺動支持部分の拡大縦断側面図である。
【図３】ホルダーの摺動支持部分の斜視図である。
【図４】分割ホルダーの他の形状を示す正面図である。
【図５】連結部材の側面図である。
【図６】従来の目地カバー装置の縦断側面図である。
【図７】従来のホルダーの製作手段を示す側面図である。
【符号の説明】
１  目地カバー
５  固定片
２０  連結子
２３  嵌合突部
２４  頂部
２５  ホルダー
２５ａ  分割ホルダー
２６ｂ  天板部
２６ｃ  嵌挿空隙
２７  二股状突条
２７ａ  摺動条溝
３８  連結部材
３９  嵌合突縁
４０  支持突縁
４１  嵌着溝
４２  鋸歯状突起
ｓ  目地
ｘ  建物
ｆ  屋上面
【図１】
0003592801.tif 000002
【図２】
0003592801.tif 000003
【図３】
0003592801.tif 000004
【図４】
0003592801.tif 000005
【図５】
0003592801.tif 000006
【図６】
0003592801.tif 000007
【図７】
0003592801.tif 000008